(57)【特許請求の範囲】
【請求項１】
点火用電極および熱電対取り付け部を有し、バーナ部を機器本体に固定するバーナ固定金具と、板材を凹形状にプレス成形したバーナキャップかん合用開口部を有するバーナヘッドと、パイプ材を曲げて成形し前記バーナヘッド側の先端部にかしめしろを設けた混合管とを備え、前記混合管は、ガス流入側先端部の上下に切り欠きまたは穴を設けるとともに、前記バーナヘッド側の先端部に設けたかしめしろにより、前記バーナヘッドと、前記バーナ固定金具とを一体にかしめて構成したこんろバーナ。
【請求項２】
バーナキャップかん合時にバーナキャップ炎孔部とガス通路を形成するバーナヘッド上部円形フランジ部外周の点火用電極に面した部分に切り欠きを設けた請求項１記載のこんろバーナ。
【請求項３】
キッチンのカウンター上に設置固定された天板の円形開口部と、前記円形開口部より突出させたバーナ部との間で形成される環状の隙間を覆い煮こぼれの侵入を防止するリングカバーをバーナ固定金具で保持および位置決めした請求項１記載のこんろバーナ。
【請求項４】
リングカバーを保持する手段はバーナ固定金具の上部水平部分に設けられた３点の突起である請求項３記載のこんろバーナ。
【請求項５】
リングカバーを位置決めする手段はリングカバーの切り起こし加工あるいはプレス加工した突起である請求項３記載のこんろバーナ。
【請求項６】
キッチンのカウンター上に設置固定された天板の円形開口部と、前記の円形開口部より突出させたバーナ部との間で形成される環状の隙間を覆い煮こぼれの侵入を防止するリングカバーをプレス成形したバーナヘッドの一部で保持した請求項１記載のこんろバーナ。
【発明の詳細な説明】
【０００１】
【発明の属する技術分野】
本発明は、ガス調理器のこんろバーナに関するものである。
【０００２】
【従来の技術】
従来のこんろバーナの構造を図４に示す。図４に示すように点火用電極８および熱電対９の取り付けをするバーナ固定金具２２と混合管２３を含むバーナヘッド２１は別部品で構成され、バーナヘッド２１をバーナ固定金具２２へはめ込むかあるいはビス止めして固定されていた。
【０００３】
リングカバー３１の固定は、リングカバー３１の天板２０上に乗せてバーナへッド２１で位置規制をする、またはリングカバー３１固定用の別部品を設けるという方法が採られていた。
【０００４】
また混合管２３への空気の吸い込みは、混合管２３の先端部に取り付けられたダンパー２５のノズル６の挿入穴のサイドに設けられた穴より空気が吸い込まれるように構成されていた。
【０００５】
【発明が解決しようとする課題】
しかしながら、従来のこんろバーナでは、バーナヘッド２１の取り付けが傾いた状態、あるいは点火用電極８および熱電対９の取り付けの傾きにより、点火用電極８および熱電対９とバーナヘッド２１の位置関係がずれることがあり、そのため誤放電や火炎検知ミスが発生して、良好な点火性能や燃焼検知性能が得られない場合があるという課題を有していた。
【０００６】
また、従来のこんろバーナでは、リングカバー３１を天板２０上に置いて固定するため、鍋を置いたときに天板２０が振動するとリングカバー３１も振動し音が鳴る、あるいは天板２０上に傷が付きやすく、それを防止しようとリングカバー３１とトップ２０の間に隙間を設けて固定しようとすると、リングカバー３１固定用の別部品の要するという課題を有していた。
【０００７】
またバーナキャップ２７，バーナヘッド２１を伝って煮こぼれが混合管２３内に侵入した際、混合管２３内に煮こぼれが溜まり、そしてこびりつき、混合管２３の腐食を早める、あるいはダンパー２５が混合管２３に密着し、はずれにくくなるという課題を有していた。
【０００８】
本発明は上記課題を解決するもので、点火用電極および熱電対とバーナヘッドとの位置決めが確実にでき、良好な点火性能、燃焼検知性能が得られるこんろバーナを提供することを第１の目的とし、部品点数を増やさずに簡単な構成でリングカバーの保持および位置決めが確実にできるこんろバーナを提供することを第２の目的とし、混合管内に煮こぼれが溜まるのを防止し、耐久性およびメンテナンスのしやすさを向上させたこんろバーナを提供することを第３の目的とする。
【０００９】
【課題を解決するための手段】
本発明は上記第１の目的を達成するために、バーナを固定する金具に点火用電極および熱電対取り付け部を設け、バーナ固定金具とバーナヘッドと混合管とを混合管のバーナヘッド側の先端部に設けたかしめしろにより一体にかしめて構成したものであり、点火用電極および熱電対とバーナヘッドとの位置決めが確実にできる。
【００１０】
また第２の目的を達成するために、バーナ固定金具またはバーナヘッドにリングカバーの保持および位置決め手段を設けた構成としてあり、リングカバー固定用の別部品を設けずにリングカバーの保持および位置決めができる。
【００１１】
また第３の目的を達成するために、混合管のガス流入側先端部の上下に切り欠きまたは穴を設けた構成としてあり、混合管内に煮こぼれが溜まるのを防止できる。
【００１２】
【発明の実施の形態】
請求項１記載の発明は、点火用電極および熱電対取り付け部を有し、バーナ部を機器本体に固定するバーナ固定金具と、板材を凹形状にプレス成形したバーナキャップかん合用開口部を有するバーナヘッドと、パイプ材を曲げて成形し前記バーナヘッド側の先端部にかしめしろを設けた混合管とを備え、前記混合管は、ガス流入側先端部の上下に切り欠きまたは穴を設けるとともに、前記バーナヘッド側の先端部に設けたかしめしろにより、前記バーナヘッドと、前記バーナ固定金具とを一体にかしめて構成したものであり、点火用電極および熱電対とバーナヘッドとの位置決めが確実にでき、また、管内に送り込まれたガスと空気を混合する混合管のガス流入側先端部の上下に切り欠きまたは穴を設けることで、混合管内に煮こぼれが溜まるのを防止することができる。
【００１３】
請求項２記載の発明は、板材を凹形状にプレス成形したバーナキャップかん合用開口部を有するバーナヘッドにおいて、バーナキャップかん合時にバーナキャップ炎孔部とガス通路を形成するバーナヘッド上部円形フランジ部外周の点火用電極に面した部分に切り欠きを設けた構成であり、点火用電極の空間距離を保つと共にバーナヘッドかしめ時の位置決めとしての役割を果たす。
【００１４】
請求項３記載の発明は、キッチンのカウンター上に設置固定された天板の円形開口部と、天板の円形開口部より突出させたバーナ部との間で形成される環状の隙間を覆い煮こぼれの侵入を防止するリングカバーをバーナ固定金具で保持および位置決めした構成であり、リングカバー固定用の別部品を設けずに、簡単な構成でリングカバーの保持および位置決めができる。
【００１５】
請求項４記載の発明は、リングカバーを保持する手段がバーナ固定金具上部水平部分に設けた３点の突起である構成であり、バーナ固定金具とリングカバーの間にわずかな上下の隙間を設け浮かせた状態で固定することができ、バーナ固定金具上に煮こぼれを溜まりにくくすることができる。
【００１６】
請求項５記載の発明は、リングカバーを位置決めする手段がバーナ固定金具またはリングカバーを切り起こし加工あるいはプレス加工した突起であり、リングカバーの回転も防止することができる。
【００１７】
請求項６記載の発明は、キッチンのカウンター上に設置固定された天板の円形開口部と、天板の円形開口部より突出させたバーナ部との間で形成される環状の隙間を覆い煮こぼれの侵入を防止するリングカバーを、プレス成形したバーナヘッドの一部分で保持した構成であり、請求項２の発明と同様リングカバー固定用の別部品を設けずにリングカバーの保持および位置決めができる。
【００１９】
【実施例】
次に、本発明のこんろバーナの実施例を図面にもとづいて説明する。
【００２０】
（実施例１）
図１および図２は、本発明の実施例１のこんろバーナの縦断面図および上面図である。
【００２１】
図１および図２において、バーナヘッド１は、板材を凹形状にプレス成形された形状であり、上円部外周の点火用電極８に面した部分に切り欠き１３ａを設けてあり、パイプ材を曲げて加工した混合管３のバーナヘッド１側の先端部をかしめしろとしてバーナ固定金具２と一体でかしめて構成され、機器本体（図示せず）に固定されたバーナ取り付け板４に固定されている。
【００２２】
混合管３は、ガス流入側の先端部の上下に切り欠き１３ｂが設けてあり、ダンパー５は、その混合管３の先端部にはめ込み装着され、同様に外周の上下に空気吸い込み用の切り欠きまたは穴が設けてある。
【００２３】
ノズル６はダンパー５に先端の一部が挿入された位置で固定されている。バーナキャップ７はバーナヘッド１上に装着され、点火用電極８および熱電対９はバーナ固定金具２の一部をコの字に曲げて設けた取り付け部にはめ込まれ固定されている。
【００２４】
天板１０はキッチンのカウンター（図示せず）上に固定され、リングカバー１１はバーナ固定金具２との間に隙間ができるようバーナ固定金具２の上部水平部に設けた３点の突起１２ａ上に保持され、また側面の一部を切り起こして設けた突起１２ｂにより天板１０と隙間１４ａを持たせた状態で位置決め保持されている。
【００２５】
次に動作、作用について説明すると、ノズル６から供給されたガスは、ダンパー５と混合管３とで形成された切り欠き１３ｂ、または穴より吸い込まれた空気と混合管３内で混合され、バーナヘッド１とバーナキャップ７で形成された空間へ供給される。
【００２６】
そして、バーナキャップ７の点火用炎孔（図示せず）で点火用電極８により点火され、隣接した熱電対用炎孔（図示せず）に火移りし熱電対９を加熱して立ち消え安全装置が作動し、バーナキャップ７の全周へと火移りする。
【００２７】
この時、こんろバーナの構成が点火用電極８および熱電対９取り付け部を備えたバーナ固定金具２と、バーナヘッド１とを混合管３により一体にかしめた構成になっているため、バーナヘッド１，バーナキャップ７と点火用電極８，熱電対９の位置決めが確実にでき、良好な点火性能および燃焼性能が得られる。
【００２８】
また、バーナヘッド１の上円部外周の点火用電極８に面した部分に切り欠き１３ａを設けてあるため、点火用電極８のバーナヘッド１との空間距離が確保され誤放電を防止できる。このバーナヘッド１の上円部外周に設けた切り欠き１３ａは、バーナをかしめる際にバーナヘッド１とバーナ固定金具２との位置決めとして利用することができる。
【００２９】
リングカバー１１はドーナツ形状のプレス部品で、バーナ部と天板１０の隙間１４ｂより煮こぼれが侵入するのを防止する役割りを有し、上記リングカバー１１の固定方法により、部品を増やさずに簡単な構成で位置決め固定ができる。
【００３０】
また、バーナ部とリングカバー１１との間に外観上隙間１４ｂが空かないようにでき見栄えがよく、さらに天板１０と接触していないため、調理時における天板１０の振動がリングカバー１１に伝わりにくく、振動による音鳴りを防止することができる。
【００３１】
そのうえ、３点の突起で保持するためリングカバー１１の平面度がでていない場合でもバランスよく保持され、さらにバーナ固定金具２とリングカバー１１の間にわずかな上下の隙間１４ｃを設け、浮かせた状態で固定することができ、バーナ固定金具２上に煮こぼれを溜まりにくくすることができる。
【００３２】
バーナキャップ７，バーナヘッド１ａを伝って混合管３内に煮こぼれが侵入した場合は、混合管３およびダンパー５の下側の切り欠き１３ｂより煮こぼれが排出される。
【００３３】
なお上記実施例１では、リングカバー２１をバーナ固定金具２ａで保持したが、バーナヘッド１ａとバーナ固定金具２ａの間にリングカバー２１保持用の別部品を設けた構成も可能である。
【００３４】
（実施例２）
図３は本発明の実施例２のこんろバーナの縦断面図である。
【００３５】
実施例１と異なるのはバーナヘッド１ａでリングカバー２１を保持したところである。なお実施例１と同一符号のものは同一構造を有し、説明は省略する。
【００３６】
【発明の効果】
本発明の請求項１に係るこんろバーナによれば、点火用電極および熱電対とバーナヘッドとの位置決めが確実にでき、誤放電も起こらないので良好な点火性能および燃焼性能が得られ、また、混合管内に煮こぼれが溜まりにくく混合管の腐食を防止でき、またダンパー交換時煮こぼれのこびりつきによりダンパーが取れにくくなるのを防止できるという有利な効果が得られる。
【００３７】
本発明の請求項２に係るこんろバーナによれば、切り欠きに治工具を当てることにより、バーナかしめ時にバーナヘッドとバーナ固定金具との位置決めが確実にでき、さらに点火用電極の空間距離を保つことができるため誤放電が防止でき良好な点火性能が得られるという有利な効果を有する。
【００３８】
本発明の請求項３，４，５および６に係るこんろバーナによれば、リングカバー固定用の別部品を設けずにリングカバーの保持および位置決めができ、またリングカバーと天板の間に隙間を設けることにより天板の振動により音鳴りを防止することができ、天板にも傷が付きにくく、さらにバーナ部とリングカバーとの間に外観上隙間が空かないようにでき見栄えがよいという有利な効果が得られる。
【００３９】
なお本発明の請求項４に係るこんろバーナによれば、３点の突起でリングカバーを保持するためリングカバーの平面度がでていない場合でもバランスよく保持され、さらにバーナ固定金具とリングカバーとの間にわずかな上下の隙間を設け、浮かせた状態で固定することができ、バーナ固定金具上に煮こぼれを溜まりにくくすることができるという有利な効果が得られる。
【図面の簡単な説明】
【図１】本発明の実施例１のこんろバーナの縦断面図
【図２】同こんろバーナの上面図
【図３】本発明の実施例２のこんろバーナの縦断面図
【図４】従来のこんろバーナの縦断面図
【符号の説明】
１，１ａ  バーナヘッド
２，２ａ  バーナ固定金具
３  混合管
４  バーナ取付板
７  バーナキャップ
８  点火用電極
９  熱電対
１０  天板
１１，２１  リングカバー
１２ａ，１２ｂ  突起
１３ａ，１３ｂ  切り欠き
【図１】
0003823453.tif 000002
【図２】
0003823453.tif 000003
【図３】
0003823453.tif 000004
【図４】
0003823453.tif 000005